【手続補正書】
【提出日】平成17年11月24日(2005.11.24)
【手続補正１】
【補正対象書類名】明細書
【補正対象項目名】発明の名称
【補正方法】変更
【補正の内容】
【発明の名称】電子機器制御装置及び電子機器制御システム
【手続補正２】
【補正対象書類名】明細書
【補正対象項目名】特許請求の範囲
【補正方法】変更
【補正の内容】
【特許請求の範囲】
【請求項１】  腕に装着可能であって、
対応する電子機器に所定動作を実行させるための特定情報を記憶する記憶手段と、
腕への装着を検出する検出手段と、
この検出手段により腕への装着が検出されている場合に、前記記憶手段に記憶されている前記特定情報を前記電子機器に無線送信する送信する送信手段と、
を備えたことを特徴とする電子機器制御装置。
【請求項２】  前記所定動作は、起動動作であることを特徴とする請求項１記載の電子機器制御装置。
【請求項３】  腕時計と、この腕時計に対応する電子機器とで構成され、
前記腕時計は、前記電子機器に所定動作を実行させるための特定情報を前記電子機器に無線送信する送信する送信手段を備え、
前記電子機器は、前記送信手段から無線送信されてくる情報を受信する受信手段と、前記特定情報を記憶する記憶手段と、前記受信手段により受信した情報と前記記憶手段に記憶されている特定情報とが一致した場合に、前記所定の動作を開始させる制御手段とを備えたことを特徴とする電子機器制御システム。
【請求項４】  前記所定の動作は、起動動作であることを特徴とする請求項３記載の電子機器制御システム。
【請求項５】  腕時計と、この腕時計に対応する電子機器とで構成され、
前記腕時計は、前記電子機器に所定の動作を実行させるための特定情報を前記電子機器に無線送信する送信する送信手段を備え、
前記電子機器は、前記送信手段から無線送信されてくる情報を受信する受信手段と、この受信手段による前記特定情報の受信が可能である状態では、前記所定の動作を継続させるとともに、前記特定情報の受信が不可能となった時点で、前記所定の動作を中断させる制御手段とを備えたことを特徴とする電子機器制御システム。
【請求項６】  前記腕時計は、腕への装着を検出する検出手段をさらに備え、前記送信手段は、前記検出手段により腕へ装着が検出されている場合に、前記特定情報を送信することを特徴とする請求項3又は5記載の電子機器制御システム。
【請求項７】  前記制御手段は、前記受信手段が再度前記特定情報を受信した場合に、前記所定の動作を再開させることを特徴とする請求項６記載の電子機器制御システム。
【請求項８】  前記所定の動作は、データ表示動作であることを特徴とする請求項5記載の電子機器制御システム。
【請求項９】  前記制御手段は、前記特定情報の受信が不可能となった時点で、前記データ表示動作を中断させて、スクリーンセーバ動作を開始させることを特徴とする請求項8記載の電子機器制御システム。
【手続補正３】
【補正対象書類名】明細書
【補正対象項目名】０００１
【補正方法】変更
【補正の内容】
【０００１】
【発明の属する技術分野】
本発明は、パソコン（PC：Personal Computer）等の電子機器をリモート制御する電子機器制御装置及び腕時計と対応する電子機器とで構成される電子機器制御システムに関する。
【手続補正４】
【補正対象書類名】明細書
【補正対象項目名】０００４
【補正方法】変更
【補正の内容】
【０００４】
本発明は、このような従来の課題に鑑みてなされたものであり、パソコン等の電子機器を煩雑な操作を伴うことなくリモート制御できるようにした電子機器制御装置及び腕時計と電子機器とで構成される電子機器制御システムを提供することを目的とするものである。
【手続補正５】
【補正対象書類名】明細書
【補正対象項目名】０００５
【補正方法】変更
【補正の内容】
【０００５】
【課題を解決するための手段】
前記課題を解決するために請求項１記載の電子機器制御装置にあっては、腕に装着可能であって、対応する電子機器に所定動作を実行させるための特定情報を記憶する記憶手段と、腕への装着を検出する検出手段と、この検出手段により腕への装着が検出されている場合に、前記記憶手段に記憶されている前記特定情報を前記電子機器に無線送信する送信する送信手段とを備えている。したがって、ユーザーがこの電子機器制御装置を腕に装着して、対応する電子機器が前記情報を受信可能な範囲に移動することにより、電子機器に所定動作を実行させることが可能となる。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
また、請求項２記載の電子機器制御装置にあっては、前記所定動作は、起動動作である。したがって、パソコン等の電子機器の起動をリモート制御し得る。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】０００１０
【補正方法】削除
【補正の内容】
【手続補正１１】
【補正対象書類名】明細書
【補正対象項目名】０００１１
【補正方法】削除
【補正の内容】
【手続補正１２】
【補正対象書類名】明細書
【補正対象項目名】０００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】変更
【補正の内容】
【００１４】
また、請求項３記載の電子機器制御システムにあっては、腕時計と、この腕時計に対応する電子機器とで構成され、前記腕時計は、前記電子機器に所定動作を実行させるための特定情報を前記電子機器に無線送信する送信する送信手段を備え、前記電子機器は、前記送信手段から無線送信されてくる情報を受信する受信手段と、前記特定情報を記憶する記憶手段と、前記受信手段により受信した情報と前記記憶手段に記憶されている特定情報とが一致した場合に、前記所定動作を開始させる制御手段とを備えている。したがって、ユーザーが腕時計を携帯して、対応する電子機器が前記情報を受信可能な範囲に移動すると、電子機器が情報を受信し、この情報が記憶手段に記憶されている特定情報と一致すると、電子機器は所定動作を開始する。
【手続補正１５】
【補正対象書類名】明細書
【補正対象項目名】００１５
【補正方法】変更
【補正の内容】
【００１５】
また、請求項４記載の電子機器制御システムにあっては、前記所定動作は、起動動作である。したがって、ユーザーが腕時計を携帯して、対応するパソコン等の電子機器が特定情報を受信可能な範囲に移動すると、電子機器を操作せずとも該電子機器が起動する。
【手続補正１６】
【補正対象書類名】明細書
【補正対象項目名】００１６
【補正方法】変更
【補正の内容】
【００１６】
また、請求項５記載の電子機器制御システムにあっては、腕時計と、この腕時計に対応する電子機器とで構成され、前記腕時計は、前記電子機器に所定動作を実行させるための特定情報を記憶する記憶手段と、この記憶手段に記憶されている情報を前記電子機器に無線送信する送信する送信手段を備え、前記電子機器は、前記送信手段から無線送信されてくる情報を受信する受信手段と、この受信手段による前記特定情報の受信が可能である状態では、所定動作を継続させるとともに、前記特定情報の受信が不可能となった時点で、前記所定動作を中断させる制御手段とを備えている。したがって、電子機器は、腕時計を携帯しているユーザーが近くに居ることにより、前記特定情報の受信が継続していると所定動作を継続し、電子機器から離れて受信が不可能になると所定動作を中断する。
【手続補正１７】
【補正対象書類名】明細書
【補正対象項目名】００１７
【補正方法】変更
【補正の内容】
【００１７】
また、請求項６記載の電子機器制御システムにあっては、前記電子機器制御装置は、腕への装着を検出する検出手段をさらに備え、前記送信手段は、前記検出手段により腕へ装着が検出されている場合に、前記特定情報を送信する。したがって、腕時計を腕に装着していない場合には特定情報が送信されることがなく、無用な送信動作や無用な電子機器の動作が回避されるとともに、腕に装着して、対応する電子機器が情報を受信可能な範囲に移動することのみにより、電子機器に所定動作を実行させることが可能となる。
【手続補正１８】
【補正対象書類名】明細書
【補正対象項目名】００１８
【補正方法】変更
【補正の内容】
【００１８】
また、請求項７記載の電子機器制御システムにあっては、前記制御手段は、前記受信手段が再度前記特定情報を受信した場合に、前記所定動作を再開させる。したがって、腕時計を携帯したユーザーが電子機器の近くに戻ると、電子機器は所定動作を再開し、該電子機器を用いた作業をスムーズに再開し得る。
【手続補正１９】
【補正対象書類名】明細書
【補正対象項目名】００１９
【補正方法】変更
【補正の内容】
【００１９】
また、請求項８記載の電子機器制御システムにあっては、前記所定動作は、データ表示動作である。したがって、腕時計を携帯したユーザーが電子機器から離れるとデータ表示動作が中断することから、データのセキュリティが確保される。
【手続補正２０】
【補正対象書類名】明細書
【補正対象項目名】００２０
【補正方法】変更
【補正の内容】
【００２０】
また、請求項９記載の電子機器制御システムにあっては、前記制御手段は、前記特定情報の受信が不可能となった時点で、前記データ表示動作を中断させて、スクリーンセーバ動作を開始させる。したがって、ユーザーが電子機器から離れた場合には、スクリーンセーバ動作により、前述と同様にデータのセキュリティが確保されるのみならず、表示画面の焼き付きも防止される。
【手続補正２１】
【補正対象書類名】明細書
【補正対象項目名】００５２
【補正方法】変更
【補正の内容】
【００５２】
【発明の効果】
以上説明したように本発明は、腕に装着可能であって、対応する電子機器に所定動作を実行させるための特定情報を電子機器に無線送信する送信するようにしたことから、ユーザーがこれを携帯して、対応する電子機器が特定情報を受信可能な範囲に移動することにより、操作を伴うことなく、電子機器に所定動作を実行させることができる。また、腕への装着が検出されている場合に、特定情報を送信するようにしたことから、腕に装着していない場合には情報が送信されることがなく、無用な送信動作を回避することができる。さらに、腕に装着して、対応する電子機器が特定情報を受信可能な範囲に移動することのみにより、極めて容易に電子機器に所定動作を実行させて、電子機器の起動等を行うことができる。
【手続補正２２】
【補正対象書類名】明細書
【補正対象項目名】００５３
【補正方法】変更
【補正の内容】
【００５３】
また、無線送信されてくる特定情報の受信が可能である状態では、所定動作を継続させるとともに、特定情報の受信が不可能となった時点で、所定動作を中断させるようにしたことから、腕時計を携帯したユーザーが電子機器から離れて前記特定情報の受信が不可能になった時点で、電子機器は所定動作を中断させることができ、これにより、ユーザーが離れている間の電子機器の無用な動作を抑制することができる。
【手続補正２３】
【補正対象書類名】明細書
【補正対象項目名】００５４
【補正方法】変更
【補正の内容】
【００５４】
また再度前記特定情報を受信した場合には、所定動作を再開させるようにしたことから、腕時計を携帯したユーザーが電子機器の近くに戻ると、電子機器は所定動作を再開し、ユーザーが該電子機器を用いた作業をスムーズに再開することができる。また、データ表示動作を中断させるようにしたことから、ユーザーが電子機器から離れている状態でデータが他人に見られてしまうことがなく、データのセキュリティを確保することができる。また、データ表示動作を中断させて、スクリーンセーバ動作を開始させるようにしたことから、スクリーンセーバ動作により、データのセキュリティを確保することができるみならず、表示画面の焼き付きも防止することもできる。